(57)【要約】      （修正有）【課題】音響デバイスに水滴や塵が残存することを防ぐことができる音響装置を提供する。【解決手段】音響デバイスであるレシーバの表側は、導音室内に突出しており、音響デバイスは、振動板の振動板の振動を許しつつ、該振動板を史実するフレームを備えており、該フレームは、前記導音室の切欠に取り付けられていると共に、その一部の面が前記導音室内に露出している。また、導音室の前記切欠と前記音響デバイスの前記フレームとの間に介在する環状パッキンを更に有し、該環状パッキンは、その一部の面が前記導音室内に露出している。【選択図】図４
2010135868.tif 000002
【特許請求の範囲】
【請求項１】
電子機器に搭載される音響装置であって、電子機器の筐体に一体に形成された導音室と、前記導音室と筐体内部とを連通するように該導音室に形成された切欠から振動板が該導音室内を臨むように配置された電気／音響変換をなす音響デバイスと、前記導音室と筐体外部とを連通するように該導音室に形成された音孔部とを有する音響装置において、
前記音響デバイスの表側は、前記導音室内に突出していることを特徴とする音響装置。
【請求項２】
前記音響デバイスは、前記振動板の振動を許しつつ該振動板を支持するフレームを備えており、該フレームは、前記導音室の前記切欠に取り付けられていると共に、その一部の面が前記導音室内に露出しており、
前記音響デバイスの表側は、前記フレームの当該露出面よりも前記導音室内に突出している請求項１に記載の音響装置。
【請求項３】
前記導音室の前記切欠と前記音響デバイスの前記フレームとの間に介在する環状パッキンをさらに有し、該環状パッキンは、その一部の面が前記導音室内に露出しており、
前記音響デバイスの表側は、前記環状パッキンの当該露出面よりも前記導音室内に突出している請求項２に記載の音響装置。
【請求項４】
前記振動板を振動させるべく前記音響デバイスを電気的に駆動する駆動回路をさらに有し、
前記駆動回路によって前記振動板を振動させることによって空気振動を起こし、当該振動空気によって前記導音室に入り込んだ水滴や塵を前記音孔部から筐体外に排出する請求項１乃至３のいずれか一項に記載の音響装置。
【請求項５】
前記電子機器の筐体は、ヒンジで結合された第２の筐体と共に折り畳み式筐体を構成する第１の筐体であり、
前記音孔部は、第２の筐体を臨む主音孔部と、第２の筐体を臨まない副音孔部とを含み、
前記主音孔部から第２の筐体の折り畳み時の接近によって空気を流入させ、当該流入空気によって前記導音室に入り込んだ水滴や塵を前記副音孔部から第１の筐体外に排出する請求項１乃至３のいずれか一項に記載の音響装置。
【請求項６】
振動空気を通す一方で水滴や塵を通し難い防塵フィルタが、前記音孔部に設けられている請求項１乃至５のいずれか一項に記載の音響装置。
【請求項７】
前記振動板は、水滴を通さない素材で形成されるか、水滴が浸透しない加工が施されている請求項１乃至６のいずれか一項に記載の音響装置。
【請求項８】
前記音響デバイスの表側には、水滴や塵を通さない防水シートが、前記振動板に間隙を置いて設けられており、
前記防水シートは、前記導音室内に突出している請求項１乃至６のいずれか一項に記載の音響装置。
【請求項９】
前記振動板は、その表面に撥水性コーティングまたは親水性コーティングが施されている請求項１乃至７のいずれか一項に記載の音響装置。
【請求項１０】
前記防水シートは、その表面に撥水性コーティングまたは親水性コーティングが施されている請求項８に記載の音響装置。
【請求項１１】
前記撥水性コーティングは、フッ素コーティングである請求項９または１０に記載の音響装置。
【請求項１２】
請求項１乃至１１のいずれか一項に記載の音響装置と、前記筐体と、該筐体内に搭載され、前記音響デバイスに電気的に接続された電子回路とを有することを特徴とする電子機器。
【発明の詳細な説明】
【技術分野】
【０００１】
本発明は、携帯電話機等の電子機器に搭載される音響装置であって、電子機器の筐体に一体に形成された導音室と、導音室と筐体内部とを連通するように導音室に形成された切欠から振動板が導音室内を臨むように導音室に配置された電気／音響変換をなすスピーカやマイクロホン等の音響デバイスと、導音室と筐体外部とを連通するように導音室に形成された音孔部とを有する音響装置に関し、特に、防水型電子機器に搭載されるのに適した音響装置に関する。
【０００２】
尚、本発明における防水型電子機器には、防塵型電子機器をも含むものとする。
【背景技術】
【０００３】
この種の音響装置は、防水型電子機器を雨中や水中もしくは埃や粉塵の多い環境で使用した際に、音響デバイスの導音室に曝された表側である振動板のおもて面に水滴や塵が付着して故障しないようにする対策が施されることが多い。この対策は、例えば、音（または振動空気）を通す一方で水滴や塵を通し難い防塵フィルタを音孔部に設けること、音響デバイスの振動板とほぼ同じ動きをする一方で水滴や塵を通さない防水シートを振動板表側に間隙を置いて設けること、あるいは、音響デバイスの振動板を水滴を通さない素材で形成するか、水滴が浸透しない加工を施す（例えば、特許文献１に開示されている）等である。
【０００４】
そのような対策いずれにしても、導音室に入り込んだ水滴や塵は、ユーザが筐体を振って音孔部から排出させるといった対処を想定している。これに対し、導音室に入り込んだ水滴や塵を排出するための構成を設けた音響装置が、例えば、特許文献２、３に開示されている。特許文献２に開示された技術は、音響デバイスを電気的に駆動して振動板を振動させることによって空気振動を起こし、その振動空気によって導音室に入り込んだ水滴や塵を音孔部から筐体外に排出するものである。また、特許文献３に開示された技術は、折り畳み式筐体を構成する第１の筐体に搭載された音響装置の主音孔部から第２の筐体の折り畳み時の接近によって空気を流入させ、その流入空気によって導音室に入り込んだ水滴や塵を副音孔部から第１の筐体外に排出するものである。
【０００５】
図１を参照すると、特許文献２に開示された技術に類似した音響装置は、防水型携帯電話機の筐体６０に一体に形成され、筐体６０の図中上面部分と環状のリブ６４とによって規定された所謂縦型の導音室６３と、導音室６３と筐体６０の内部空間６５とを連通するように、導音室６３に形成された切欠から振動板７２が導音室６３内を臨むように導音室６３に配置された（環状パッキン８１を介して環状のリブ６４に取り付けられた）電気／音響変換をなす音響デバイスとしてのスピーカの類であるレシーバ７０と、導音室６３と筐体６０の外部とを連通するようにレシーバ７０の中心軸に沿って導音室６３に形成された音孔部６１とを有している。環状パッキン８１により、レシーバ７０の裏側の筐体６０の内部空間６５は、レシーバ７０の表側の導音室６３から防水かつ防塵となっている。また、レシーバ７０の振動板７２表側には、振動板７２とほぼ同じ動きをする一方で水滴や塵を通さない防水シート８６が振動板７２に間隙を置いて密着されている。防水シート８６により、レシーバ７０の振動板７２のおもて面は、導音室６３から防水かつ防塵となっている。図中、符号９０は、防水型携帯電話機の電子回路が搭載された回路基板を示している。この音響装置は、レシーバ７０を電気的に駆動して振動板７２および防水シート８６を振動させることによって空気振動を起こし、その振動空気によって導音室６３に入り込んだ水滴や塵を音孔部６１から筐体６０外に排出する。
【０００６】
図２を参照すると、特許文献３に開示された技術に類似した音響装置は、防水型携帯電話機の折り畳み式筐体を構成する第１の筐体６０Ａに一体に形成され、第１の筐体６０Ａの図中上面部分と略環状のリブ６４とによって規定された所謂横型の導音室６３と、導音室６３と筐体６０の内部空間６５とを連通するように、導音室６３に形成された切欠から振動板７２が導音室６３内を臨むように導音室６３に配置された（環状パッキン８１を介してリブ６４に取り付けられた）電気／音響変換をなす音響デバイスとしてのスピーカの類であるレシーバ７０と、導音室６３と筐体６０の外部とを連通するようにレシーバ７０の中心軸に沿って導音室６３に形成された主音孔部６１と、導音室６３と筐体６０の外部とを連通するようにレシーバ７０の中心軸に垂直な方向に沿って導音室６３に形成された副音孔部６２とを有している。環状パッキン８１により、レシーバ７０の裏側の筐体６０の内部空間６５は、レシーバ７０の表側の導音室６３から防水かつ防塵となっている。また、レシーバ７０の振動板７２表側には、振動板７２とほぼ同じ動きをする一方で水滴や塵を通さない防水シート８６が振動板７２に間隙を置いて密着されている。防水シート８６により、レシーバ７０の振動板７２のおもて面は、導音室６３から防水かつ防塵となっている。図中、符号９０は、防水型携帯電話機の電子回路が搭載された回路基板を示している。また、符号６０Ｂは、図示しないヒンジで結合された第１の筐体６０Ａと共に折り畳み式筐体を構成する第２の筐体の一部を示している。この音響装置は、主音孔部６１から第２の筐体６０Ｂの折り畳み時の接近によって空気を流入させ、その流入空気によって導音室６３に入り込んだ水滴や塵を副音孔部６２から第１の筐体６０Ａ外に排出する。
【０００７】
【特許文献１】特開２００５−０９４２７０号公報
【特許文献２】特開２０００−２０１３８８号公報
【特許文献３】特開２００８−１６７０９７号公報
【発明の開示】
【発明が解決しようとする課題】
【０００８】
図１、図２に示された水滴や塵を積極的に排出する構造や、前述したユーザが筐体を振る対策いずれにしもて、水滴や塵が完全には排出されない場合がある。導音室に水滴や塵が僅かに残存したとしても、振動板表側に防水シートが設けられているか、音響デバイスの振動板のおもて面に防水コーティングが施されていれば、防水型電子機器の音響デバイスやその他のデバイスが故障する可能性は低い。しかし、水滴や塵が音響デバイスや防水シートに残存した場合は、音がビリつくなどの不具合が生ずる。
【０００９】
それ故、本発明の課題は、音響デバイスに水滴や塵が残存することを防ぐことができる音響装置を提供することである。
【００１０】
本発明の他の課題は、そのような音響装置を有する電子機器を提供することである。
【課題を解決するための手段】
【００１１】
本発明によれば、電子機器に搭載される音響装置であって、電子機器の筐体に一体に形成された導音室と、前記導音室と筐体内部とを連通するように該導音室に形成された切欠から振動板が該導音室内を臨むように配置された電気／音響変換をなす音響デバイスと、前記導音室と筐体外部とを連通するように該導音室に形成された音孔部とを有する音響装置において、前記音響デバイスの表側は、前記導音室内に突出していることを特徴とする音響装置が得られる。
【００１２】
前記音響デバイスは、前記振動板の振動を許しつつ該振動板を支持するフレームを備えており、該フレームは、前記導音室の前記切欠に取り付けられていると共に、その一部の面が前記導音室内に露出しており、前記音響デバイスの表側は、前記フレームの当該露出面よりも前記導音室内に突出していてもよい。
【００１３】
前記導音室の前記切欠と前記音響デバイスの前記フレームとの間に介在する環状パッキンをさらに有し、該環状パッキンは、その一部の面が前記導音室内に露出しており、前記音響デバイスの表側は、前記環状パッキンの当該露出面よりも前記導音室内に突出していてもよい。
【００１４】
前記振動板を振動させるべく前記音響デバイスを電気的に駆動する駆動回路をさらに有し、前記駆動回路によって前記振動板を振動させることによって空気振動を起こし、当該振動空気によって前記導音室に入り込んだ水滴や塵を前記音孔部から筐体外に排出するものであってもよい。
【００１５】
前記電子機器の筐体は、ヒンジで結合された第２の筐体と共に折り畳み式筐体を構成する第１の筐体であり、前記音孔部は、第２の筐体を臨む主音孔部と、第２の筐体を臨まない副音孔部とを含み、前記主音孔部から第２の筐体の折り畳み時の接近によって空気を流入させ、当該流入空気によって前記導音室に入り込んだ水滴や塵を前記副音孔部から第１の筐体外に排出するものであってもよい。
【００１６】
振動空気を通す一方で水滴や塵を通し難い防塵フィルタが、前記音孔部に設けられていてもよい。
【００１７】
前記振動板は、水滴を通さない素材で形成されるか、水滴が浸透しない加工が施されていてもよい。
【００１８】
前記音響デバイスの表側には、水滴や塵を通さない防水シートが、前記振動板に間隙を置いて設けられており、前記防水シートは、前記導音室内に突出していてもよい。
【００１９】
前記振動板は、その表面に撥水性コーティングまたは親水性コーティングが施されていてもよい。
【００２０】
前記防水シートは、その表面に撥水性コーティングまたは親水性コーティングが施されていてもよい。前記撥水性コーティングは、フッ素コーティングであってもよい。
【００２１】
本発明によればまた、前記音響装置と、前記筐体と、該筐体内に搭載され、前記音響デバイスに電気的に接続された電子回路とを有することを特徴とする電子機器が得られる。
【発明の効果】
【００２２】
本発明による音響装置は、音響デバイスに水滴や塵が残存することを防ぐことができる。
【発明を実施するための最良の形態】
【００２３】
本発明による音響装置は、電子機器に搭載される音響装置であって、電子機器の筐体に一体に形成された導音室と、導音室と筐体内部とを連通するように導音室に形成された切欠から振動板が導音室内を臨むように配置された電気／音響変換をなす音響デバイスと、導音室と筐体外部とを連通するように導音室に形成された音孔部とを有している。本音響装置においては特に、音響デバイスの表側が、導音室内に突出している。即ち、音響デバイスの表側は、導音室の壁面から突出している。
【００２４】
このような構成により、本発明による音響装置は、導音室に入り込んだ水滴や塵をユーザが筐体を振って音孔部から排出させたり、音響デバイスを電気的に駆動し、その振動空気によって水滴や塵を音孔部から排出したり、あるいは、第１の筐体の主音孔部から第２の筐体の折り畳み時の接近によって空気を流入させ、その流入空気によって水滴や塵を副音孔部から排出した際に、振動板または防水シートから導音室に弾かれた水滴が振動板や防水シートに逆流することがない。したがって、振動板や防水シートに水滴が残存することがなく、音質劣化が回避される。尚、音孔部から音孔部から排出されず、かつ、振動板や防水シートに逆流もしなかった水滴や塵が導音室内に残存することもあり得るが、そのような位置に残存する水滴や塵は、音質劣化を引き起こすことはない。
【実施例】
【００２５】
以下、図面を参照して、本発明による音響装置および電子機器のより具体的な実施例を詳細に説明する。
【００２６】
［実施例１］
図３（ａ）および（ｂ）を参照すると、本発明の実施例１による音響装置を有する電子機器は、いずれも図示しない無線基地局およびネットワークを介して固定電話機、他の携帯電話機、あるいはサーバ等と通信を行う防水型携帯電話機であり、後に詳述する音響装置の他に、第１の筐体１０Ａと、第２の筐体１０Ｂと、第１の筐体１０Ａおよび第２の筐体１０Ｂを開閉可能に結合するヒンジ部１０Ｃとによって構成された折り畳み式の筐体１０と、筐体１０内に搭載され、携帯電話機の音響デバイスをも含む電子デバイス類に電気的に接続された電子回路が形成された後述する回路基板とを有している。
【００２７】
第１の筐体１０Ａには、ディスプレイ１６と、ハンズフリー通話等のためのスピーカ用の音孔部１１と、スピーカの類である筐体を握っての通常通話のためのレシーバ用の音孔部１１’とが備えられている。第２の筐体１０Ｂには、操作キー１７と、通常通話およびハンズフリー通話等のためのマイクロホン用の音孔部１１”とが備えられている。
【００２８】
本携帯電話機は、音響デバイスとしてのスピーカおよび音孔部１１を含む音響装置と、音響デバイスとしてのレシーバおよび音孔部１１’を含む音響装置と、音響デバイスとしてのマイクロホンおよび音孔部１１”を含む音響装置との３つの音響装置を有している。３つの音響装置いずれも本発明の構成を採用することができるが、実施例１においては、スピーカおよび音孔部１１を含む音響装置について、以下に説明する。
【００２９】
図４を併せ参照すると、本実施例の音響装置は、第１の筐体１０Ａに一体に形成された導音室１３と、導音室１３と第１の筐体１０Ａの内部１５とを連通するように導音室１３に形成された切欠から振動板２２が導音室１３内を臨むように配置された電気／音響変換をなす音響デバイスとしてのスピーカ２０と、導音室１３と第１の筐体１０Ａの外部とを連通するように導音室１３に形成された音孔部１１とを有している。
【００３０】
尚、図４において、符号１４は、第１の筐体１０Ａの内部に形成された略環状のリブを示している。符号４０は、本携帯電話機の電子回路が形成された回路基板を示している。また、符号３７は、振動空気を通す一方で水滴や塵を通し難い防塵フィルタを示している。リブ１４は、導音室１３の側壁を兼ねている。
【００３１】
特に、本音響装置においては、スピーカ２０の表側が、導音室１３内に突出している。
【００３２】
スピーカ２０は、振動板２２と、振動板２２の振動を許しつつ振動板２２を支持するフレーム２１と、振動板２２の背面に結合され、図示しないリードを介して回路基板４０上の電子回路に電気的に接続されたボイスコイル２３と、フレーム２１に支持された永久磁石２４およびヨーク２５とを備えている。
【００３３】
フレーム２１は、導音室１３の切欠（リブ１４の先端）に取り付けられている。さらに、導音室１３の切欠とフレーム２１との間には、環状パッキン３１が介在している。環状パッキン３１は、その一部の面が導音室１３内に露出している。そして、スピーカ２０の表側は、環状パッキン３１の露出面よりも導音室１３内に突出している。
【００３４】
振動板２２は、水滴を通さない素材で形成されるか、あるいは、水滴が浸透しない加工が施されている。さらに、振動板２２の表面には、撥水性コーティングまたは親水性コーティングが施されていていてもよい。撥水性コーティングまたは親水性コーティングは既知のことであるため、詳述はしないが、撥水性コーティングの具体例としては、例えば、フッ素コーティングがある。
【００３５】
また、本音響装置は、振動板２２を振動させるべくスピーカ２０を電気的に駆動する駆動回路をさらに有している。この駆動回路は、回路基板４０上に形成されている。そして、駆動回路によって振動板２２を振動させることによって空気振動を起こし、その振動空気によって導音室１３に入り込んだ水滴や塵を音孔部から第１の筐体１０Ａの外部に排出する。
【００３６】
尚、駆動回路は、携帯電話機の音声出力回路と兼用とし、振動板２２から通常の音声、ミュージック、カメラのシャッタ音、筐体の開閉合図音、ハンズフリー通話音等の可聴周波数範囲の音声を所定時間（例えば、数秒）出力させるものであってもよい。あるいは、駆動回路を水滴や塵の排出のために特化して設け、水滴や塵の排出に適した周波数で振動板２２を所定時間（例えば、数秒）振動させるものであってもよい。この場合は可聴範囲外の周波数であってもよく、可聴範囲外の周波数で振動板２２を振動させる場合には、周囲の者に気付かれることなく、水滴や塵を排出することができる。
【００３７】
次に、本音響装置の動作を説明する。
【００３８】
図５（ａ）に示されるように、音孔部１１の開通方向が下に向けられた状態で、ユーザの操作によってオンとなった駆動回路が、スピーカ２０の振動板２２を振動させることによって空気振動を起こし、その振動空気により、導音室１３に入り込んだ水滴や塵が音孔部１１から第１の筐体１０Ａの外部に排出される。
【００３９】
この際、水滴や塵の一部は、振動板２２に対向する導音室１３の天井面で反射して振動板２２側に戻る。このため、従来の音響装置においては、振動板２２を所定時間振動させた後であっても、水滴や塵が振動板２２の表面に残存する可能性があった。しかし、本音響装置においては、振動板２２の表面を含むスピーカ２０の表側が環状パッキン３１の露出面よりも導音室１３内に突出しているため、導音室１３の天井面で反射した水滴や塵は、重力に従って下向きの音孔部１１ならびにスピーカ２０の表側よりも一段凹んだ環状パッキン３１の露出面に落下するように向かう。したがって、水滴や塵が振動板２２の表面に残存することが回避され、音がビリつくなどの不具合が生ずることがない。
【００４０】
あるいは、図５（ｂ）に示されるように、音孔部１１の開通方向が水平に向けられた状態で、ユーザの操作によってオンとなった駆動回路が、スピーカ２０の振動板２２を振動させることによって空気振動を起こし、その振動空気により、導音室１３に入り込んだ水滴や塵が音孔部１１から第１の筐体１０Ａの外部に排出される。
【００４１】
この際、水滴や塵の一部は、振動板２２に対向する導音室１３の天井面で反射し、かつ、重力に従い、振動板２２側に戻る。このため、従来の音響装置においては、振動板２２を所定時間振動させた後であっても、水滴や塵が振動板２２の表面に残存する可能性があった。しかし、本音響装置においては、振動板２２の表面を含むスピーカ２０の表側が環状パッキン３１の露出面よりも導音室１３内に突出しているため、導音室１３の天井面で反射した水滴や塵は、スピーカ２０の表側よりも一段凹んだ環状パッキン３１の露出面に落下するように向かう。したがって、水滴や塵が振動板２２の表面に残存することが回避され、音がビリつくなどの不具合が生ずることがない。
【００４２】
［実施例２］
本発明の実施例２による音響装置は、スピーカの表側に水滴や塵を通さない防水シートが設けられている点と、振動板が水滴を通さない素材で形成されたり、水滴が浸透しない加工が施されていない点と、防塵フィルタが設けられていない点とで、実施例１と異なっている。このため、実施例２における実施例１と同一または同様の部分については、同一符号を付すと共に、詳細な説明を省略する。
【００４３】
図６を参照すると、本発明の実施例２による音響装置は、第１の筐体１０Ａに一体に形成された導音室１３と、導音室１３と第１の筐体１０Ａの内部１５とを連通するように導音室１３に形成された切欠から振動板（図示せず）が導音室１３内を臨むように配置された音響デバイスとしてのスピーカ２０’と、導音室１３と第１の筐体１０Ａの外部とを連通するように導音室１３に形成された音孔部１１とを有している。図６において、符号１４は、第１の筐体１０Ａの内部に形成された略環状のリブを示している。また、符号４０は、本携帯電話機の電子回路が形成された回路基板を示している。リブ１４は、導音室１３の側壁を兼ねている。
【００４４】
スピーカ２０’は、フレーム２１と、図示しない振動板、ボイスコイル、永久磁石、およびヨークとを備えている。フレーム２１は、導音室１３の切欠（リブ１４の先端）に取り付けられている。さらに、導音室１３の切欠とフレーム２１との間には、環状パッキン３１が介在している。環状パッキン３１は、その一部の面が導音室１３内に露出している。
【００４５】
特に、本音響装置においては、スピーカ２０’の表側に、水滴や塵を通さない防水シート３６が、振動板に間隙を置いて設けられている。防水シートは、振動板に追従して同様の振動をなす。防水シート３６は、水滴を通さない素材で形成されるか、あるいは、水滴が浸透しない加工が施されている。例えば、防水シート３６は、ポリプロピレンやポリエチレンテレフタレートを材料とした柔軟性を持つ樹脂フィルムによって構成される。そして、スピーカ２０’の表側である防水シート３６は、環状パッキン３１の露出面よりも導音室１３内に突出している。
【００４６】
さらに、防水シート３６の表面には、撥水性コーティングまたは親水性コーティングが施されていてもよい。撥水性コーティングまたは親水性コーティングは既知のことであるため、詳述はしないが、撥水性コーティングの具体例としては、例えば、フッ素コーティングがある。
【００４７】
また、本音響装置も、スピーカ２０’の振動板を振動させるべくスピーカ２０’を電気的に駆動する駆動回路をさらに有している。この駆動回路は、回路基板４０上に形成されている。そして、駆動回路によって振動板を振動させることにより、防水シート３６を振動させて空気振動を起こし、その振動空気によって導音室１３に入り込んだ水滴や塵を音孔部から第１の筐体１０Ａの外部に排出する。
【００４８】
次に、本音響装置の動作を説明する。
【００４９】
ユーザの操作によってオンとなった駆動回路が、スピーカ２０’の振動板を振動させることによって防水シート３６も振動し、これによって空気振動を起こし、その振動空気により、導音室１３に入り込んだ水滴や塵が音孔部１１から第１の筐体１０Ａの外部に排出される。
【００５０】
この際、水滴や塵の一部は、防水シート３６に対向する導音室１３の天井面で反射して防水シート３６側に戻る。このため、従来の音響装置においては、防水シート３６を所定時間振動させた後であっても、水滴や塵が防水シート３６の表面に残存する可能性があった。しかし、本音響装置においては、防水シート３６の表面を含むスピーカ２０の表側が環状パッキン３１の露出面よりも導音室１３内に突出しているため、導音室１３の天井面で反射した水滴や塵は、スピーカ２０の表側（防水シート３６の表面）よりも一段凹んだ環状パッキン３１の露出面に向かう。したがって、水滴や塵が防水シート３６の表面に残存することが回避され、音がビリつくなどの不具合が生ずることがない。
【００５１】
［実施例３］
本発明の実施例３による音響装置は、電気／音響変換をなす音響デバイスとしてのスピーカの類であるレシーバを有している点と、音孔部がレシーバの正面に形成されている点と、防塵フィルタが設けられていない点とで、実施例１と異なっている。このため、実施例３における実施例１と同一または同様の部分については、同一符号を付すと共に、詳細な説明を省略する。
【００５２】
図７を参照すると、本発明の実施例３による音響装置は、第１の筐体１０Ａに一体に形成された導音室１３’と、導音室１３’と第１の筐体１０Ａの内部１５とを連通するように導音室１３’に形成された切欠から振動板２２”が導音室１３’内を臨むように配置された音響デバイスとしてのスピーカの類である筐体を握っての通常通話のためのレシーバ２０”と、導音室１３’と第１の筐体１０Ａの外部とを連通するように導音室１３に形成された音孔部１１’とを有している。図７において、符号１４’は第１の筐体１０Ａの内部に形成された略環状のリブを示している。また、符号４０は、本携帯電話機の電子回路が形成された回路基板を示している。リブ１４’は、導音室１３’の側壁を兼ねている。
【００５３】
レシーバ２０”は、フレーム２１”と、振動板２２”と、ボイスコイル２３”と、永久磁石２４”およびヨーク２５”とを備えている。フレーム２１は、導音室１３’の切欠（リブ１４’の先端）に取り付けられている。さらに、導音室１３’の切欠とフレーム２１”との間には、環状パッキン３１が介在している。環状パッキン３１は、その一部の面が導音室１３’内に露出している。
【００５４】
そして、振動板２２”を含むレシーバ２０”の表側は、環状パッキン３１”の露出面よりも導音室１３’内に突出している。
【００５５】
振動板２２”は、水滴を通さない素材で形成されるか、あるいは、水滴が浸透しない加工が施されている。さらに、振動板２２”の表面には、撥水性コーティングまたは親水性コーティングが施されていていてもよい。撥水性コーティングまたは親水性コーティングは既知のことであるため、詳述はしないが、撥水性コーティングの具体例としては、例えば、フッ素コーティングがある。
【００５６】
次に、本音響装置の動作を説明する。
【００５７】
音孔部１１’の開通方向が下に向けられた状態で、ユーザの操作によってオンとなった駆動回路が、レシーバ２０’の振動板２２”を振動させることによって空気振動を起こし、その振動空気により、導音室１３’に入り込んだ水滴や塵が音孔部１１’から第１の筐体１０Ａの外部に排出される。
【００５８】
一方、音孔部１１’の開通方向が下以外に向けられた際は、水滴や塵の一部は、振動板２２”に対向する導音室１３’の天井面で反射して振動板２２”側に戻る。このため、従来の音響装置においては、振動板を所定時間振動させた後であっても、水滴や塵が振動板の表面に残存する可能性があった。しかし、本音響装置においては、振動板２２”の表面を含むレシーバ２０”の表側が環状パッキン３１の露出面よりも導音室１３’内に突出しているため、導音室１３’の天井面で反射した水滴や塵は、レシーバ２０”の表側（振動板２２”）よりも一段凹んだ環状パッキン３１の露出面に向かう。したがって、水滴や塵が振動板２２”の表面に残存することが回避され、音がビリつくなどの不具合が生ずることがない。
【００５９】
［実施例４］
実施例１〜３においては、水滴や塵の排出構成が音響デバイスの駆動回路を用いるものであったが、本発明は、図２に示された関連技術のような水滴や塵の排出構成を採用することもできる。
【００６０】
即ち、本発明の実施例４による音響装置は、その導音室が、ヒンジで結合された第２の筐体と共に折り畳み式筐体を構成する第１の筐体と一体に形成されている。音孔部は、第２の筐体を臨む主音孔部と、第２の筐体を臨まない副音孔部との２つを含んでいる。
【００６１】
音響デバイスの表側は、導音室内に突出している。
【００６２】
そして、主音孔部から第２の筐体の折り畳み時の接近によって空気を流入させ、流入空気によって導音室に入り込んだ水滴や塵を副音孔部から第１の筐体外に排出する。
【００６３】
この際、音響デバイスの表側が導音室内に突出しているため、導音室の天井面で反射した水滴や塵は、音響デバイスの表側よりも一段凹んだ導音室の壁面に向かう。したがって、水滴や塵が音響デバイスの振動板の表面に残存することが回避され、音がビリつくなどの不具合が生ずることがない。
【産業上の利用可能性】
【００６４】
以上説明した実施例に限定されることなく、本発明は、当該特許請求の範囲に記載された技術範囲内であれば、種々の変形が可能であることは云うまでもない。
【００６５】
例えば、音響デバイスは、スピーカやレシーバに限らず、マイクロホンであってもよい。また、本音響装置は、防水型電子機器に限らず、非防水型電子機器にも適用できる。さらに、本発明は、携帯電話機に限らず、ＰＨＳ電話機、ページャ、ＰＤＡ、携帯型パーソナルコンピュータ、デジタルカメラ、ムービーカメラ、携帯型ゲーム機、携帯型テレビ機器等の音響装置を有する電子機器に適用可能である。
【図面の簡単な説明】
【００６６】
【図１】本発明の関連技術による音響装置を示す断面図である。
【図２】本発明の他の関連技術による音響装置を示す断面図である。
【図３】本発明の実施例１による電子機器を示す図であり、（ａ）は折り畳み式の筐体が開かれた状態を示し、（ｂ）は閉じられた状態を示す。
【図４】本発明の実施例１による音響装置を示す断面図である。
【図５】図に示された音響装置の動作を説明するための図であり、（ａ）は音孔部が横向きにされた状態を示し、（ｂ）は音孔部が下向きにされた状態を示す。
【図６】本発明の実施例２による音響装置を示す断面図である。
【図７】本発明の実施例３による音響装置を示す断面図である。
【符号の説明】
【００６７】
１０Ａ  第１の筐体
１０Ｂ  第２の筐体
１１、１１’、１１”  音孔部
１３、１３’  導音室
１４、１４’  リブ
１６    ディスプレイ
１７    操作キー
２０、２０’  スピーカ
２０”  レシーバ
２１、２１”  フレーム
２２、２２”  振動板
２３、２３”  ボイスコイル
２４、２４”  永久磁石
２５、２５”  ヨーク
３１    環状パッキン
３６    防水シート
３７    防塵フィルタ
４０    回路基板
【図１】
2010135868.tif 000003
【図２】
2010135868.tif 000004
【図３】
2010135868.tif 000005
【図４】
2010135868.tif 000006
【図５】
2010135868.tif 000007
【図６】
2010135868.tif 000008
【図７】
2010135868.tif 000009